(57)【要約】【課題】出射する光が一方向に指向性を有する光源部を用いた場合であっても、外部に照射される照射光をより広範囲に分散させることが可能な照明装置を得る。【解決手段】照明装置１０は、出射する光が一方向に指向性を有する光源部７０と、光源部７０から出射された光を透過させて拡散させる拡散部８０と、を備えている。そして、拡散部８０は、透過させた光を一方向と交差する第１交差方向に拡散させる第１拡散部８１と、第１拡散部８１を透過した光を透過させて、一方向および第１交差方向と交差する第２交差方向に拡散させる第２拡散部８２と、を備えている。【選択図】図３
2019003773.tif 000002
【特許請求の範囲】
【請求項１】
出射する光が一方向に指向性を有する光源部と、
前記光源部から出射された光を透過させて拡散させる拡散部と、
を備え、
前記拡散部は、
透過させた光を前記一方向と交差する第１交差方向に拡散させる第１拡散部と、
前記第１拡散部を透過した光を透過させて、前記一方向および前記第１交差方向と交差する第２交差方向に拡散させる第２拡散部と、
を備えることを特徴とする照明装置。
【請求項２】
前記第１拡散部が形成された第１パネルと、前記第２拡散部が形成された第２パネルと、を備えることを特徴とする請求項１に記載の照明装置。
【請求項３】
前記光源部側に前記第１拡散部が形成され、前記光源部側とは反対側に前記第２拡散部が形成された第３パネルを備えることを特徴とする請求項１または請求項２に記載の照明装置。
【請求項４】
前記第１拡散部が、前記第１交差方向に沿う波状に形成された凹凸部、乳白部および半透明部のうち少なくともいずれか１つを有することを特徴とする請求項１〜３のうちいずれか１項に記載の照明装置。
【請求項５】
前記第２拡散部が、前記第２交差方向に沿う波状に形成された凹凸部、乳白部および半透明部のうち少なくともいずれか１つを有することを特徴とする請求項１〜４のうちいずれか１項に記載の照明装置。
【請求項６】
前記光源部を複数備えていることを特徴とする請求項１〜５のうちいずれか１項に記載の照明装置。
【請求項７】
複数の前記光源部が周状に配置されていることを特徴とする請求項６に記載の照明装置。
【請求項８】
前記拡散部が、周状に配置された複数の前記光源部を囲うように配置されていることを特徴とする請求項７に記載の照明装置。
【発明の詳細な説明】
【技術分野】
【０００１】
本開示は、照明装置に関する。
【背景技術】
【０００２】
従来、照明装置として、光源部としてのＬＥＤ光源と、ＬＥＤ光源から出射された光を透過させて外部に照射させるカバーと、を備えるものが知られている（例えば、特許文献１参照）。
【０００３】
この特許文献１には、側面に複数のＬＥＤ光源が全周に亘って配置された柱状支持部材と、透光性を有し、柱状支持部材を囲うように配置されたカバーと、を備える照明装置が開示されている。そして、複数のＬＥＤ光源は、それぞれの発光方向が径方向外側を向くように柱状支持部材の側面に配置されており、各ＬＥＤ光源から出射された光がカバーを透過して、カバーの側方を照らすようにしている。
【先行技術文献】
【特許文献】
【０００４】
【特許文献１】特開２０１１−０２８８９０号公報
【発明の概要】
【発明が解決しようとする課題】
【０００５】
しかしながら、光源部として用いられるＬＥＤ光源は、一般的に、出射する光が一方向に指向性を有するものである。そのため、上記従来技術のように、複数のＬＥＤ光源を、それぞれの発光方向が径方向外側を向くように周状に配置しただけでは、カバーの各ＬＥＤ光源と対向する部位に略帯状の明るい領域が形成されてしまう。すなわち、照明装置の外部への照射領域であるカバーの一部に照射光が偏ってしまう。
【０００６】
このように、上記従来の技術では、出射する光が一方向に指向性を有する光源部を用いた場合には、照明装置の外部への照射領域の一部に照射光が偏ってしまうという問題があった。
【０００７】
そこで、本開示は、出射する光が一方向に指向性を有する光源部を用いた場合であっても、外部に照射される照射光をより広範囲に分散させることが可能な照明装置を得ることを目的とする。
【課題を解決するための手段】
【０００８】
本開示にかかる照明装置は、出射する光が一方向に指向性を有する光源部と、前記光源部から出射された光を透過させて拡散させる拡散部と、を備えている。そして、前記拡散部は、透過させた光を前記一方向と交差する第１交差方向に拡散させる第１拡散部と、前記第１拡散部を透過した光を透過させて、前記一方向および前記第１交差方向と交差する第２交差方向に拡散させる第２拡散部と、を備えている。
【発明の効果】
【０００９】
本開示によれば、出射する光が一方向に指向性を有する光源部を用いた場合であっても、外部に照射される照射光をより広範囲に分散させることが可能な照明装置を得ることができる。
【図面の簡単な説明】
【００１０】
【図１】一実施形態にかかる照明装置を庭園に設置した状態を模式的に示す斜視図である。
【図２】一実施形態にかかる照明装置の灯具本体を示す鉛直断面図である。
【図３】一実施形態にかかる照明装置の照射部本体を示す水平断面図である。
【図４】一実施形態にかかる照明装置の第１拡散部を通過した光が拡散される状態を模式的に説明する図である。
【図５】一実施形態にかかる照明装置の第２拡散部を通過した光が拡散される状態を模式的に説明する図である。
【図６】比較例にかかる照明装置での照射状況を模式的に示す図である。
【図７】一実施形態にかかる照明装置での照射状況を模式的に示す図である。
【図８】一実施形態の変形例にかかる照明装置を模式的に示す斜視図である。
【発明を実施するための形態】
【００１１】
以下、本実施にかかる照明装置について、図面を参照しながら詳細に説明する。なお、以下では、照明装置として、庭や庭園（公園含む）等の屋外に設置される屋外用の照明装置を例示するとともに、光源部としてＬＥＤ光源を用いたものを例示する。
【００１２】
本実施形態にかかる照明装置１０は、図１に示すように、住宅地や庭園等の屋外１の地面（設置面）２に設置することで、照明装置１０の周囲に植栽されている植物等の照射対象物３を照らすものである。
【００１３】
この照明装置１０は、屋外１の地面２に設置される支柱（設置用部材）２０と、支柱２０の上部に取り付けられる灯具本体（照明用部材）３０と、を備えている。具体的には、支柱２０は、略円筒状の支柱本体２１と、支柱本体２１の下部に形成されて地面２に設置される台座部２２と、を備えており、支柱本体２１の上端部に灯具本体３０が取り付けられている。そして、台座部２２の一部を地中に埋め込み固定する等により、照明装置１０を地面２に設置している。なお、台座部２２を地面２の上に載置することで、照明装置１０を設置することも可能であるし、支柱２０の先端（下端）を尖らせて、尖らせた先端を地中に差し込むことで、照明装置１０を設置することも可能である。
【００１４】
また、灯具本体３０の内部には空間Ｓが形成されており、この空間Ｓ内に光源部７０が配置されている。そして、光源部７０から出射された光が灯具本体３０の外部に照射されるようになっている。
【００１５】
本実施形態では、灯具本体３０は、図２に示すように、支柱本体２１の上端部に取り付けられる基台部４０と、基台部４０の上端に連結固定されて、光源部７０から出射された光を外部に照射する照射部本体５０と、を備えている。この基台部４０は、略円板状の底壁４１と、底壁４１の外周縁から上方に延設された略円筒状の周壁４２と、を備えており、全体として略有底円筒状に形成されている。
【００１６】
一方、照射部本体５０は、基台部４０の周壁４２の上端に連結される底壁５１０と、透光性を有し、底壁５１０の上面に連設される略円筒状のパネル部５２０と、パネル部５２０の上側を覆う蓋部５３０と、を備えている。すなわち、照射部本体５０は、底壁５１０と蓋部５３０とでパネル部５２０を挟み込むことで形成されている。このとき、パネル部５２０の下端と底壁５１０との間、および、パネル部５２０の上端と蓋部５３０との間に、防水、防塵用のパッキン９０を介在させている。
【００１７】
なお、本実施形態では、底壁５１０および蓋部５３０が光を透過させない光非透過性を有しており、光源部７０から出射された光は、パネル部５２０を透過して外部に照射されるようになっている。このように、本実施形態では、照射部本体５０の側部（パネル部５２０）が照明装置１０の照射領域となっている。
【００１８】
さらに、本実施形態では、底壁５１０の中央部に挿通孔５１０ａが形成されており、照射部本体５０を基台部４０に連結固定した際に、基台部４０内の空間Ｓ１と照射部本体５０内の空間Ｓ２とが連通するようにしている。このように、灯具本体３０内の空間Ｓは、基台部４０内の空間Ｓ１と照射部本体５０内の空間Ｓ２とで構成されている。
【００１９】
そして、底壁５１０の下面側における挿通孔５１０ａの周縁部には、断面略Ｌ字状の支持ブラケット５４０が固定されており、この支持ブラケット５４０を基台部４０の周壁４２にボルト９１とナット９２で固定することで、底壁５１０が周壁４２に固定されている。
【００２０】
さらに、本実施形態では、底壁５１０と周壁４２との固定部分および底壁５１０とパネル部５２０との固定部分が、カバーブラケット５５０で覆われている。このカバーブラケット５５０は、底壁５１０の下面との間にスペーサ９３を介在させた状態で、ボルト９１およびナット９２で固定することで、底壁５１０に固定されている。なお、カバーブラケット５５０とパネル部５２０との間には、防水、防塵用のパッキン９０を介在させている。
【００２１】
このような構成をした灯具本体３０の空間Ｓ内には、略四角柱状の柱状支持部材６０が上下方向に延在するように配置されている。具体的には、柱状支持部材６０は、挿通孔５１０ａに挿通された状態で灯具本体３０の空間Ｓ内に配置されている。すなわち、柱状支持部材６０は、下部が基台部４０の空間Ｓ１内に位置し、上部が照射部本体５０の空間Ｓ２内に位置する状態で、灯具本体３０の空間Ｓ内に配置されている。
【００２２】
そして、照射部本体５０の空間Ｓ２内に位置する柱状支持部材６０の上部に光源部７０が配置されている。本実施形態では、４つ（複数個）の光源部７０を、柱状支持部材６０の各側面６１に一つずつ取り付けている（図３参照）。このとき、４つの光源部７０は、上下方向の高さ位置が略同一となるように柱状支持部材６０の側面６１に取り付けられている（図２参照）。このように、本実施形態では、４つ（複数個）の光源部７０を、灯具本体３０の空間Ｓ内に周状に配置している。
【００２３】
この光源部７０は、図示せぬＬＥＤ素子（半導体素子）とレンズ（光学部材）とで形成されたＬＥＤ光源７１を備えており、一方向（ＬＥＤ光源７１の出射面７１ａの法線方向：パネル部５２０の径方向）への指向性を有している。そして、このＬＥＤ光源７１がブラケット７２を介して柱状支持部材６０の側面６１に取り付けられている。なお、光源部７０が一方向への指向性を有しているとは、光源部７０から出射された光が所定の照射角度で照射されることを意味するものである。この光源部７０の照射角度は、例えば、真正面の光度（光源部７０の一方向の前方における光度）の半分の光度となる方向の開き角度（半値角度）により定義することができる。
【００２４】
さらに、光源部７０は、一方向（ＬＥＤ光源７１の出射面７１ａの法線方向：パネル部５２０の径方向）を側面６１の法線方向に略一致させた状態で支持部材６０の側面６１に取り付けられている。こうすることで、略水平に延在する４つの方向（図３の上下方向および左右方向）に光が主に出射されるようにしている。
【００２５】
そして、側面６１に光源部７０が周状に配置された柱状支持部材６０の全周を囲うようにパネル部５２０が配置されている。すなわち、光源部７０の主光軸方向（上述した一方向）の前方には、パネル部５２０が空間Ｓ２（空間Ｓ）を介して光源部７０と対向するように配置されている。したがって、各光源部７０から出射された光は、パネル部５２０を透過して照明装置１０の側方に照射されることとなる。
【００２６】
このように、本実施形態にかかる照明装置１０は、屋外１の地面２に設置した状態で、光源部７０から出射された光を、パネル部５２０を透過させ、側方に位置する植物等の照射対象物３を照射するものである。
【００２７】
ところで、本実施形態の光源部７０は、上述したように、一方向への指向性を有しており、所定の照射角度で照射されるようになっている。そのため、用いられる光源部７０の数が少ないと、パネル部５２０の全周から光を照射させることができない。したがって、パネル部５２０の全周から光を照射させるためには、より多くの光源部７０を周状に配置する必要がある。しかしながら、より多くの光源部７０を用いると製造コストが高くなってしまうため、用いられる光源部７０の数を極力減らしつつ、光をパネル部５２０の全周から照射させることができるようにするのが好ましい。
【００２８】
そこで、本実施形態では、光源部７０から出射された光を透過させて拡散させる拡散部８０を設け、光源部７０から出射された光を、拡散部８０を透過させて水平方向（周方向）に拡散することで、パネル部５２０の全周から照射されるようにしている。
【００２９】
しかしながら、光をパネル部５２０の全周から照射させるようにするだけでは、図６に示すように、パネル部５２０の光源部７０と径方向で対向する部位に、略帯状の明るい領域が形成されてしまう。すなわち、照明装置１０の外部への照射領域であるパネル部５２０の一部に照射光が偏ってしまう。
【００３０】
このように、出射する光が一方向に指向性を有する光源部７０を用いた場合、照明装置１０の外部への照射領域の一部に照射光が偏ってしまうという問題がある。
【００３１】
そこで、本実施形態では、出射する光が一方向に指向性を有する光源部７０を用いた場合であっても、外部に照射される照射光をより広範囲に分散させることができるようにした。
【００３２】
具体的には、パネル部５２０が、側面６１に光源部７０が周状に配置された柱状支持部材６０の全周を囲うように配置される内筒（第１パネル）５２１と、内筒５２１の全周を囲うように配置される外筒（第２パネル）５２２と、を備えるようにした。すなわち、光源部７０の主光軸方向（上述した一方向）の前方に、内筒５２１が空間Ｓ３を介して光源部７０と対向するように配置されるようにし、外筒５２２が空間Ｓ４を介して内筒５２１と対向するように配置されるようにした。
【００３３】
また、拡散部８０が、透過させた光を少なくとも上下方向（一方向と交差する第１交差方向）に拡散させる第１拡散部８１を備えるようにした。さらに、拡散部８０が、第１拡散部８１を透過した光を透過させて、水平方向（周方向：一方向および第１交差方向と交差する第２交差方向）に拡散させる第２拡散部８２を備えるようにした。
【００３４】
ここで、本実施形態では、内部に光拡散材が分散された乳白色のアクリル樹脂を用いて内筒（第１パネル）５２１を形成している。こうすることで、内筒（第１パネル）５２１を透過した際に、光の照射領域が全体的に拡がる（上下方向および水平方向に拡がる）ようにしている（図４参照）。
【００３５】
なお、図４の破線で示す円は、光源部７０から出射された光の照射領域であって、内筒（第１パネル）５２１を透過する前の光の照射領域である。また、図４の白色部分の略円周状の境界線（若干ぼやけた境界線）は、光源部７０から出射された光の照射領域であって、内筒（第１パネル）５２１を透過した後の光の照射領域である。すなわち、光源部７０から出射された光の大半が、内筒（第１パネル）５２１の内面５２１ａの破線で示す円の領域から内筒（第１パネル）５２１内に入射することとなる。そして、内筒（第１パネル）５２１内に入射した光は、内筒（第１パネル）５２１内で拡散されて、内筒（第１パネル）５２１の外面５２１ｂの白色の領域から内筒（第１パネル）５２１外に出射されることとなる。
【００３６】
このように、本実施形態のパネル部５２０は、透過させた光を少なくとも上下方向（一方向と交差する第１交差方向）に拡散させる第１拡散部８１が形成された内筒（第１パネル）５２１を備えており、第１拡散部８１が乳白部を有している。本実施形態では、内筒（第１パネル）５２１の全体が第１拡散部８１となっている。さらに、内筒（第１パネル）５２１の全体が乳白部となっている。なお、光透過性を有するパネルの表面に乳白色の光拡散膜や乳白色のドットパターンを形成することで、第１拡散部８１としての乳白部を形成してもよい。
【００３７】
また、上下方向（第１交差方向）に沿う波状に形成された凹凸部を有し、光透過性を有するパネルを用いて形成した内筒（第１パネル）５２１を、第１拡散部８１が形成された内筒（第１パネル）５２１としてもよい。すなわち、第１拡散部８１が、上下方向（第１交差方向）に沿う波状に形成された凹凸部を有するようにしてもよい。この凹凸部の形状は、湾曲波状、パルス波状、鋸歯状、Ｖ字状等の形状とすることができる。なお、波形状の凹凸部の波長（長さ）や振幅（高さ）、パネルの厚さ等を適宜設定することで、透過させた光の出射領域を所望の領域とすることができる。
【００３８】
また、すりガラスや型板ガラス等の半透明のパネルを用いて形成された内筒（第１パネル）５２１を、第１拡散部８１が形成された内筒（第１パネル）５２１としてもよい。すなわち、第１拡散部８１が、半透明部を有するようにしてもよい。
【００３９】
なお、凹凸部と乳白部を組み合わせて第１拡散部８１を形成したり、凹凸部と半透明部を組み合わせて第１拡散部８１としたりすることも可能である。すなわち、第１拡散部８１が、上下方向（第１交差方向）に沿う波状に形成された凹凸部、乳白部および半透明部のうち少なくともいずれか１つを有するようにすることが可能である。
【００４０】
また、本実施形態では、水平方向（第２交差方向）に沿う波状に形成された凹凸部を有し、光透過性を有するパネルを用いて外筒（第２パネル）５２２を形成している。こうすることで、外筒（第２パネル）５２２を透過した際に、光の照射領域が水平方向に拡がるようにしている（図５参照）。なお、図５の破線で示す円は、内筒（第１パネル）５２１を透過した光の照射領域であって、外筒（第２パネル）５２２を透過する前の光の照射領域である。また、図５の白色部分の略楕円状の境界線（若干ぼやけた境界線）は、内筒（第１パネル）５２１を透過した光の照射領域であって、外筒（第２パネル）５２２を透過した後の光の照射領域である。すなわち、内筒（第１パネル）５２１を透過した光の大半が、外筒（第２パネル）５２２の内面５２２ａの破線で示す円の領域から外筒（第２パネル）５２２内に入射することとなる。そして、外筒（第２パネル）５２２内に入射した光は、凹凸部によって拡散されて、外筒（第２パネル）５２２の外面５２２ｂの白色の領域から外筒（第２パネル）５２２外（パネル部５２０外）に出射されることとなる。
【００４１】
このように、本実施形態のパネル部５２０は、透過させた光を少なくとも水平方向（一方向および第１交差方向と交差する第２交差方向）に拡散させる第２拡散部８２が形成された外筒（第２パネル）５２２を備えている。そして、第２拡散部８２が水平方向（第２交差方向）に沿う波状に形成された凹凸部を有している。この凹凸部の形状も、湾曲波状、パルス波状、鋸歯状、Ｖ字状等の形状とすることができる。そして、波形状の凹凸部の波長（長さ）や振幅（高さ）、パネルの厚さ等を適宜設定することで、透過させた光の出射領域を所望の領域とすることができる。
【００４２】
また、光透過性を有し、乳白部が形成されたパネルを用いて形成された外筒（第２パネル）５２２を、第２拡散部８２が形成された外筒（第２パネル）５２２としてもよい。すなわち、第２拡散部８２が、乳白部を有するようにしてもよい。この乳白部を有する第２拡散部８２は、例えば、内部に光拡散材が分散された乳白色のアクリル樹脂を用いて外筒（第２パネル）５２２を形成することで、形成することができる。
【００４３】
なお、光透過性を有するパネルの表面に乳白色の光拡散膜や乳白色のドットパターンを形成することで、第２拡散部８２としての乳白部を形成してもよい。
【００４４】
また、すりガラスや型板ガラス等の半透明のパネルを用いて形成された外筒（第２パネル）５２２を、第２拡散部８２が形成された外筒（第２パネル）５２２としてもよい。すなわち、第２拡散部８２が、半透明部を有するようにしてもよい。
【００４５】
また、凹凸部と乳白部を組み合わせて第２拡散部８２を形成したり、凹凸部と半透明部を組み合わせて第２拡散部８２を形成したりすることも可能である。すなわち、第２拡散部８２が、水平方向（第２交差方向）に沿う波状に形成された凹凸部、乳白部および半透明部のうち少なくともいずれか１つを有するようにすることが可能である。
【００４６】
このように、本実施形態では、光源部７０から出射された光を、第１拡散部８１が形成された内筒（第１パネル）５２１および第２拡散部８２が形成された外筒（第２パネル）５２２を透過させるようにしている。こうすれば、用いるＬＥＤ光源７１（光源部７０）の数を極力少なくしつつ、照明装置１０の全周に亘って光を照射させることができる。さらに、図６に示す照明装置１００と較べて、照明装置１０の照射領域である外筒（第２パネル）５２２の広範囲から光を照射することができる（図７参照）。すなわち、外部に照射される照射光をより広範囲に分散させることができる。
【００４７】
その結果、照明装置１０の照射領域の一部に明るい領域が形成されてしまうのが抑制され、全体的にぼんやりとした光（やわらかい光）を外部に照射させることができる。
【００４８】
このように、照明装置１０の構成を上述した構成とすれば、出射する光が一方向に指向性を有する光源部を用いた場合であっても、白熱ランプやＨＩＤランプのような自然な配光を得ることができるようになる。
【００４９】
なお、図６に示す照明装置１００は、内筒（第１パネル）５２１を有していない点が本実施形態にかかる照明装置１０と相違している。
【００５０】
以上説明したように、本実施形態にかかる照明装置１０は、径方向の外側（一方向の前方）に指向性を有する光源部７０と、光源部７０から出射された光を透過させて拡散させる拡散部８０と、を備えている。
【００５１】
この拡散部８０は、透過させた光を径方向（一方向）と交差する上下方向（第１交差方向）に拡散させる第１拡散部８１を備えている。さらに、拡散部８０は、第１拡散部８１を透過した光を透過させて、水平方向（一方向および第１交差方向と交差する第２交差方向）に拡散させる第２拡散部８２を備えている。
【００５２】
このように、光源部７０から出射された光を、第１拡散部８１および第２拡散部８２を透過させるようにすれば、外部に照射される照射光をより広範囲に分散させることができるようになる。
【００５３】
また、本実施形態では、照明装置１０が、第１拡散部８１が形成された内筒（第１パネル）５２１と、第２拡散部８２が形成された外筒（第２パネル）５２２と、を備えている。
【００５４】
このように、内筒（第１パネル）５２１に第１拡散部８１を、外筒（第２パネル）５２２に第２拡散部８２を形成するようにすれば、より簡素な構成で外部に照射される照射光をより広範囲に分散させることができる。
【００５５】
また、本実施形態では、第１拡散部８１が、上下方向（第１交差方向）に沿う波状に形成された凹凸部、乳白部および半透明部のうち少なくともいずれか１つを有している。
【００５６】
こうすれば、第１拡散部８１をより容易に製造することができる上、より確実に光を上下方向（第１交差方向）に拡散させることができるようになる。
【００５７】
また、本実施形態では、第２拡散部８２が、水平方向（第２交差方向）に沿う波状に形成された凹凸部、乳白部および半透明部のうち少なくともいずれか１つを有している。
【００５８】
こうすれば、第２拡散部８２をより容易に製造することができる上、より確実に光を水平方向（第２交差方向）に拡散させることができるようになる。
【００５９】
また、本実施形態では、光源部７０を複数備えている。
【００６０】
こうすれば、外部に照射される照射光をより一層広範囲に分散させることができるようになる。
【００６１】
また、本実施形態では、複数の光源部７０が周状に配置されている。
【００６２】
こうすれば、外部に照射される照射光をより広範囲に分散させつつ、照明装置１０の全周を照射させることが可能となる。
【００６３】
また、本実施形態では、拡散部８０が、周状に配置された複数の光源部７０を囲うように配置されている。
【００６４】
こうすれば、光源部７０から出射された光をより確実に拡散部８０で拡散させることができ、用いる光源部７０の数を極力少なくしつつ、照明装置１０の全周に亘って光を照射させることができるようになる。
【００６５】
なお、図８に示す第３パネル５２３を用いて照明装置１０Ａを形成することも可能である。この照明装置１０Ａは、パネル部５２０の構成以外の構成は、上記実施形態で示した照明装置１０とほぼ同様の構成をしている。
【００６６】
図８に示す第３パネル５２３は、内面５２３ａ側（一方向の後側：光源部７０側）に、水平方向（第１交差方向）に沿う波状に形成された凹凸部が形成されており、この凹凸部を第１拡散部８１として機能させている。また、第３パネル５２３の外面５２３ｂ側（一方向の前側；光源部７０側とは反対側）には、上下方向（第２交差方向）に沿う波状に形成された凹凸部が形成されており、この凹凸部を第２拡散部８２として機能させている。
【００６７】
このように、図８に示す照明装置１０Ａは、第３パネル５２３を有するパネル部５２０を備えており、光源部７０から出射された光が、このパネル部５２０（第３パネル５２３）を透過することで、上下方向および左右方向に拡散されるようになっている。
【００６８】
この図８に示す第３パネル５２３は、例えば、透光性を有する樹脂等を一体成形することで形成することができる。なお、透光性を有する１枚の矩形板状の部材の両面にそれぞれ第１拡散部８１、第２拡散部８２として機能する凹凸部を設け、筒状に湾曲させることで第３パネル５２３を形成してもよい。また、一方の内径と他方の外形が略等しい２つの筒状部材を重ね合わせることで第３パネル５２３を形成してもよい。
【００６９】
また、第１拡散部８１が、水平方向（第１交差方向）に沿う波状に形成された凹凸部、乳白部および半透明部のうち少なくともいずれか１つを有するようにすることが可能である。さらに、第２拡散部８２が、上下方向（第２交差方向）に沿う波状に形成された凹凸部、乳白部および半透明部のうち少なくともいずれか１つを有するようにすることが可能である。
【００７０】
このように、図８に示す照明装置１０Ａは、内面５２３ａ側（光源部７０側）に第１拡散部８１が形成され、外面５２３ｂ側（光源部７０側とは反対側）に第２拡散部８２が形成された第３パネル５２３を備えている。
【００７１】
こうすることでも上記実施形態で示した照明装置１０と同様の作用、効果を奏することができる。また、図８に示す照明装置１０Ａとすれば、１つの第３パネル５２３を用いて、外部に照射される照射光をより広範囲に分散させることができるため、構成をより簡素にすることができる。
【００７２】
なお、第３パネル５２３とは別体に形成された透光性を有するパネルを、第３パネル５２３の全周を囲うように配置させることも可能である。このときは位置させるパネルは、透過する光を拡散させる光拡散機能を有していてもよいし、光拡散機能を有していなくてもよい。
【００７３】
また、第３パネル５２３の内側に、上下方向に沿う波状に形成された凹凸部を形成し、外側に、水平方向に沿う波状に形成された凹凸部を形成するようにしてもよい。すなわち、上記実施形態と同様に、上下方向が第１交差方向、水平方向が第２交差方向となるようにしてもよい。
【００７４】
また、上記実施形態で示すように、内筒５２１と外筒５２２とでパネル部５２０を構成する照明装置１０において、水平方向が第１交差方向、上下方向が第２交差方向となるようにしてもよい。このような構成は、例えば、外筒５２２を構成するパネルを内筒に、内筒５２１を構成するパネルを外筒にすることで得ることができる。
【００７５】
また、パネル部５２０が、上記実施形態で示した第１パネル５２１および第２パネル５２２と、図８に示した第３パネル５２３と、を備えるようにしてもよい。このとき、各パネルの配置順序は、適宜設定することが可能である。
【００７６】
以上、本開示の好適な実施形態について説明したが、上記実施形態には限定されず、種々の変形が可能である。
【００７７】
例えば、上記実施形態およびその変形例では、照明装置として、庭や庭園（公園含む）等の地面に設置される屋外用の照明装置を例示したが、これに限定されるものではない。例えば、屋内の床面やテーブル面上に設置される照明装置とすることも可能である。また、天井や軒下等の壁部に埋め込まれた状態で取り付けられる照明装置とすることも可能であるし、壁部から露出した状態で取り付けられる照明装置とすることも可能である。
【００７８】
また、上記実施形態およびその変形例では、４つ（複数個）の光源部を用いたものを例示しているが、１つの光源部を用いた構成とすることも可能である。また、２つや３つ、５つ以上の光源部を用いた構成とすることも可能である。また、複数個の光源部を用いた場合、それらの光源部を周状に配置させる必要はなく、列状に配置したり、面状に配置したりすることができる。
【００７９】
また、上記実施形態およびその変形例では、光源部を囲うように拡散部を配置させたものを例示したが、拡散部は、少なくとも光源部の照射方向の前方に配置されていればよく、光源部を囲うように配置させる必要はない。
【００８０】
また、上記実施形態では、ＬＥＤ光源を光源部として用いたものを例示したが、半導体光源等を用いることも可能である。
【００８１】
また、光源部やパネル部、その他細部のスペック（形状、大きさ、レイアウト等）も適宜に変更可能である。
【符号の説明】
【００８２】
１０，１０Ａ  照明装置
５２１  内筒（第１パネル）
５２２  外筒（第２パネル）
５２３  第３パネル
８０  拡散部
８１  第１拡散部
８２  第２拡散部
７０  光源部
【図１】
2019003773.tif 000003
【図２】
2019003773.tif 000004
【図３】
2019003773.tif 000005
【図４】
2019003773.tif 000006
【図５】
2019003773.tif 000007
【図６】
2019003773.tif 000008
【図７】
2019003773.tif 000009
【図８】
2019003773.tif 000010